(57)【要約】【課題】エアカーテン用の送風装置を設けることなく空調ゾーニングを行えるようにした空調ゾーニングシステムを提供すること。【解決手段】空調対象室１内に複数台の空調ユニット部１１、２１が配置され、これら空調ユニット部１１、２１は、それぞれ、独立して運転可能に形成される冷媒回路と、吸込口１１ｂ、２１ｂから吸い込んだ空気を吹出口１１ｃ、２１ｃから吹き出す送風装置１１ｄ、２１ｄとを有している。また、各空調ユニット部１１、２１は、送風装置１１ｄ、２１ｄを駆動することにより、吹出口１１ｃ、２１ｃから吹き出された吹出空気Ｂ１１、Ｂ２１が空調対象室１内で旋回して吸込口１１ｂ、２１ｂに吸入される室内旋回気流Ｃ１１、Ｃ２１を形成するように構成されるとともに、各室内旋回気流Ｃ１１、Ｃ２１が、旋回軸に略直交する面内において隣接する異なるゾーンＺ１１、Ｚ２１で旋回するように形成されている。【選択図】図１
2007327702.tif 000002
【特許請求の範囲】
【請求項１】
空調対象室内に複数台の空調ユニット部が配置され、これら空調ユニット部は、それぞれ、独立して運転可能に形成される冷媒回路と、吸込口から吸い込んだ空気を吹出口から吹き出す送風装置とを有し、各空調ユニット部は、送風装置を駆動することにより、吹出口から吹き出された吹出空気が空調対象室内で旋回して吸込口に吸入される室内旋回気流を形成するように構成されるとともに、各室内旋回気流が、旋回軸に略直交する面内において隣接する異なるゾーンで旋回するように形成されていることを特徴とする空調ゾーニングシステム。
【請求項２】
前記複数台の空調ユニット部は、それぞれ独自の設定温度で運転可能に構成されていることを特徴とする請求項１記載の空調ゾーニングシステム。
【請求項３】
前記複数台の空調ユニット部は、一部ゾーンでのみ空調運転される場合に、他のゾーンを形成する空調ユニット部を送風運転するように構成されていることを特徴とする請求項１又は２記載の空調ゾーニングシステム。
【請求項４】
前記複数台の空調ユニット部は、２台の空調ユニット部からなり、これら空調ユニット部により形成される室内旋回気流は、空調対象室内が水平方向に区分される二つのゾーンで旋回するように形成されていることを特徴とする請求項１〜３の何れか1項に記載の空調ゾーニングシステム。
【請求項５】
前記２台の空調ユニット部は、空調対象室を構成する一側壁において横方向に配置され、これら空調ユニット部により形成される室内旋回気流は、空調ユニット部の横方向間に境界面を形成して空調対象室内が水平方向に区分される二つのゾーンで旋回するように形成されていることを特徴とする請求項４記載の空調ゾーニングシステム。
【請求項６】
前記２台の空調ユニット部は、１台の室内機に形成されていることを特徴とする請求項５記載の空調ゾーニングシステム。
【請求項７】
前記２台の空調ユニット部は空調対象室を構成する一対の対向する側壁に分散配置され、これら空調ユニット部により形成される室内旋回気流は、この対向する側壁間に境界面を形成して空調対象室内が水平方向に区分される二つのゾーンで旋回するように形成されていることを特徴とする請求項４記載の空調ゾーニングシステム。
【請求項８】
前記複数台の空調ユニット部は、２台の空調ユニット部からなり、これら空調ユニット部により形成される室内旋回気流は、空調対象室内が上下方向に区分される二つのゾーンで旋回するように形成されていることを特徴とする請求項１〜３の何れか1項に記載の空調ゾーニングシステム。
【請求項９】
前記２台の空調ユニット部は、空調対象室を構成する一側壁において上下に配置され、これら空調ユニット部により形成される室内旋回気流は、空調ユニット部の上下に境界面を形成して空調対象室内が上下方向に区分される二つのゾーンで旋回するように形成されていることを特徴とする請求項８記載の空調ゾーニングシステム。
【請求項１０】
前記２台の空調ユニット部は、空調対象室を構成する一対の対向する側壁において、一方の側壁では上方に配置され、他方の側壁では下方に配置され、これら空調ユニット部により形成される室内旋回気流は、空調ユニット部の上下間に境界面を形成して上下方向に区分される二つのゾーンで旋回するように形成されていることを特徴とする請求項８記載の空調ゾーニングシステム。
【請求項１１】
前記下方に配置される空調ユニット部は、必要に応じて空調運転が行われ、前記上方に配置される空調ユニット部は、前記下方に配置される空調ユニット部が空調運転を行っている場合に送風運転を行うように構成されていることを特徴とする請求項８〜１０の何れか１項に記載の空調ゾーニングシステム。
【請求項１２】
前記複数台の空調ユニット部は、共用の室外機に接続される室内ユニットとして構成されていることを特徴とする請求項１〜１１の何れか１項に記載の空調ゾーニングシステム。
【発明の詳細な説明】
【技術分野】
【０００１】
本発明は、空調ゾーニングシステムに関し、居住者の選択により居住空間の一部において適宜空調を行えるようにした空調システムに関する。
【背景技術】
【０００２】
家庭用などの小型空気調和機が使用される空調システムは、一般に、１室に１台の空気調和機を設置し、１台の空気調和機で室内全体を空調するように行われていた。図１１は、その一使用例であって、１台の空気調和機１０１が窓１０２のある側壁においてコーナよりに設置されている。そして、空気調和機１０１においては、壁面側に近い方の側部に吹出口１０３が配置され、その反対側の側部に吸込口１０４が配置されている。したがって、図１１に示すように、空気調和機に対向する側壁に近い空気調和機側方の領域Ｙ２が適正温度である場合は、気調和機前方の領域Ｙ１においては冷えすぎとなり、空気調和機設置壁面に近い側方の領域Ｙ３では冷えないというように、冷房運転時に温度むらが発生していた。また、この空調システムでは、図１２に示すように、非居住空間である領域Ｙ１も冷却されていたため、居住空間Ｚ１のみを空調する場合に比し、エネルギが無駄に消費されるという問題があった。特に、空調対象室が大きくなると、空調を必要とするスペースが空調対象室内の一部分でよい場合が多くなり、要求される室温も空調対象室内のスペースにより異なる場合が多くなっていた。このため、経済性及び快適性の観点からゾーニング空調できる空調システムの実現が望まれていた。
【０００３】
このような問題に対し、空調対象室内の連続空間の一部のゾーンだけを選択的に空調できるようにする空調ゾーニングシステムが特許文献１に提案されている。この空調ゾーニングシステムは、空調対象室内を複数のゾーンに区分けして、各ゾーンに空気調和機を配置するとともに、ゾーンの境界部にエアカーテンを生成する送風手段を備えたものである。
【特許文献１】特開２０００−３３７６７８号公報
【発明の開示】
【発明が解決しようとする課題】
【０００４】
特許文献１の空調ゾーニングシステムは、ゾーンの境界部に送風装置を配置するため、設備費用が高くつき、運転費用も送風装置を駆動するため高くなるという問題があった。さらに、送風装置を設置するスペースが必要となるため、一般住宅に適用することが困難であった。
【０００５】
本発明は、従来技術に存在するこのような問題点に着目してなされたものであって、エアカーテン用の送風装置を設けることなく空調ゾーニングを行えるようにした空調ゾーニングシステムを提供することを目的とする。
【課題を解決するための手段】
【０００６】
本発明に係る空調ゾーニングシステムは、上記課題を解決するものであって、空調対象室内に複数台の空調ユニット部が配置され、これら空調ユニット部は、それぞれ、独立して運転可能に形成される冷媒回路と、吸込口から吸い込んだ空気を吹出口から吹き出す送風装置とを有している。また、各空調ユニット部は、送風装置を駆動することにより、吹出口から吹き出された吹出空気が空調対象室内で旋回して吸込口に吸入される室内旋回気流を形成するように構成されるとともに、各室内旋回気流が、旋回軸に略直交する面内において隣接する異なるゾーンで旋回するように形成されている。このように構成すると、複数の空調ユニット部により形成される各々の室内旋回気流間で平行気流が形成され、各々の室内旋回気流が平行気流を介して隣接するので、この平行気流によりエアカーテン機能が発揮される。このため、特別のエアカーテン装置を用いなくても、室内旋回気流により空調対象室内をゾーニングし、それぞれのゾーンで最適の空調を行うことができる。また、空調が不要なゾーンで送風運転を行うことにより、空調を必要とする領域をゾーニングすることができるので、無駄なエネルギの消費を回避することができる。
【０００７】
また、前記各空調ユニット部は、それぞれ独自の設定温度で運転可能に構成されているように構成したものとしてもよい。このように構成すると、各ゾーンにおいて居住者の好みに応じ最適の空調を行うことができる。
【０００８】
また、前記複数台の空調ユニット部は、一部ゾーンでのみ空調運転される場合に、他のゾーンを形成する空調ユニット部を送風運転するように構成されていることが好ましい。このように構成すると、空調運転を継続するゾーンにおいて、所定経路の室内旋回気流が維持されるため、ゾーニングを確実に行うことができる。
【０００９】
このような構成において、空調ユニット部を２台とし、これら空調ユニット部により形成される室内旋回気流は、空調対象室内が水平方向に区分される二つのゾーンで旋回するように形成されるものとしてもよい。このようにすれば、空調対象室内が水平方向に区分される二つのゾーンでそれぞれ最適の空調を行うことができる。また、空調する必要のないゾーンでは送風運転を行うことにより、空調する必要のないゾーンの無駄な空調を回避するとともに、空調を必要とするゾーンのゾーニング維持を可能にすることができる。
【００１０】
前記２台の空調ユニット部は、空調対象室を構成する一側壁において横方向に配置され、これら空調ユニット部により形成される室内旋回気流は、空調ユニット部の横方向間に境界面を形成して空調対象室内が水平方向に区分される二つのゾーンで旋回するように形成されるものとしてもよい。このように構成すれば、両空調ユニット部からの吹出空気が対向する側壁に向けて吹き出されて対向する側壁に衝突し、旋回して空調対象室内を通って空調ユニット部に還流する室内旋回気流が形成される。この場合、室内旋回気流の旋回軸は略鉛直方向となり、この軸に略垂直な面が水平面となる。そして、この水平面内において、隣接する二つのゾーンで旋回する室内旋回気流が形成される。この結果、二つの室内旋回気流の隣接部において平行気流が形成され、この平行気流がエアカーテンとして作用する。このため、特別のエアカーテン装置を用いることなく空調対象室内を水平方向に区分する空調ゾーニングを実現することができる。
【００１１】
この場合において、空調対象室を構成する一側壁において横方向に配置される２台の空調ユニット部を、１台の室内機に形成してもよい。このようにすると、空調ユニット部の設置工事を簡略化し、管理工数を低減することができる。
【００１２】
また、前記２台の空調ユニット部は、空調対象室を構成する一対の対向する側壁に分散配置され、これら空調ユニット部により形成される室内旋回気流は、この対向する側壁間に境界面を形成して空調対象室内が水平方向に区分される二つのゾーンで旋回するように形成されるものとしてもよい。このように構成すれば、両空調ユニット部により形成される室内旋回気流が対向する側壁間の略中央部で衝突し、隣接して流れるように形成される。この場合、室内旋回気流の旋回軸は略水平方向となり、この軸に略垂直な面が鉛直面となる。そして、この鉛直面内において、二つのゾーンで旋回する室内旋回気流が形成される。この結果、二つの室内旋回気流の隣接部において平行気流が形成され、この平行気流がエアカーテンとして作用する。このため、特別のエアカーテン装置を用いることなく空調対象室内を対向する側壁間で水平方向に区分する空調ゾーニングを実現することができる。
【００１３】
さらに、空調ユニット部を２台とした場合において、これら空調ユニット部は、空調対象室内が上下方向に区分される二つのゾーンで旋回するように形成されるものとしてもよい。上部ゾーンは非居住空間となるので、このゾーンの空調を停止又は弱くすることにより、無駄なエネルギ消費を回避することができる。
【００１４】
また、前記２台の空調ユニット部は、空調対象室を構成する一側壁において上下に配置され、これら空調ユニット部により形成される室内旋回気流は、空調ユニット部の上下間に境界面を形成して空調対象室内が上下方向に区分される二つのゾーンで旋回するように形成されているものとしてもよい。このように構成すれば、両空調ユニット部からの吹出空気が対向する側壁に向けて吹き出されて対向する側壁に衝突し、旋回して空調対象室内を通って空調ユニット部に還流する室内旋回気流が形成される。この場合、室内旋回気流の旋回軸は略水平方向となり、この軸に略垂直な面が鉛直面となる。そして、この鉛直面内において、隣接する二つのゾーンでそれぞれが逆方向に旋回する室内旋回気流が形成される。この結果、二つの室内旋回気流は上下方向の隣接部において同一方向に流れる平行気流が形成され、この平行気流がエアカーテンとして作用する。このため、特別のエアカーテン装置を用いることなく空調対象室内を上下方向に区分する空調ゾーニングを実現することができる。
【００１５】
また、前記２台の空調ユニット部は、空調対象室を構成する一対の対向する側壁において、一方の側壁では上方に配置され、他方の側壁では下方に配置され、これら空調ユニット部により形成される室内旋回気流は、空調ユニット部の上下間に境界面を形成して上下方向に区分される二つのゾーンで旋回するように形成されるものとしてもよい。このように構成すれば、両空調ユニット部からの吹出空気がそれぞれの対向する側壁に向けて吹き出されて衝突し、旋回して空調対象室内を通ってそれぞれの空調ユニット部に還流する同一方向の室内旋回気流が上下に形成される。この場合、室内旋回気流の旋回軸は略水平方向となり、この軸に略垂直な面が鉛直面となる。そして、この鉛直面内において、上下に隣接する二つのゾーンで旋回する室内旋回気流が形成されている。この結果、二つの室内旋回気流の隣接部において逆方向に流れる平行気流が形成され、この平行気流がエアカーテンとして作用する。このため、特別のエアカーテン装置を用いることなく空調対象室内を上下に区分する空調ゾーニングを実現することができる。
【００１６】
また、上記のように空調対象室内を上下二つのゾーンにゾーニングする場合において、前記下方に配置される空調ユニット部は必要に応じて空調運転が行われ、前記上方に配置される空調ユニット部は、前記下方に配置される空調ユニット部が空調運転を行っている場合に送風運転を行うように構成することが好ましい。このように構成すれば、上下各ゾーンで室内旋回気流を形成しながら居住空間である下部領域のみを空調するので、下部領域のゾーニング領域を所定領域に保持することができ、経済的な空調運転を行うことができる。
【００１７】
また、前記複数台の空調ユニット部は、共用の室外機に接続される室内ユニットとして構成されていることが好ましい。これは所謂多室型空調機又はこれと同様の構成となるので、設備コストを低減するとともに、一部のゾーンで運転される場合の運転費を低減することができる。
【発明の効果】
【００１８】
本発明に係る空調ゾーニングシステムによれば、複数の空調ユニット部により形成される各々の室内旋回気流が平行気流を形成して隣接するので、この平行気流によりエアカーテン機能が発揮される。このため、特別のエアカーテン装置を用いなくても、室内旋回気流により空調対象室内をゾーニングし、それぞれのゾーンで最適の空調を行うことができる。また、空調が不要なゾーンで送風運転を行うことにより、空調を必要とする領域をゾーニングすることができるので、無駄なエネルギの消費を回避することができる。
【発明を実施するための最良の形態】
【００１９】
以下、本発明の実施の形態に係る空調ゾーニングシステムについて、図面に基づき説明する。
（実施の形態１）
図１は実施の形態１に係る空調ゾーニングシステムの概略図である。この図に示すように、実施の形態１に係る空調ゾーニングシステムは、２台の空調ユニット部１１、２１を用いて、空調対象室内１を水平方向にゾーニングし、二つのゾーンＺ１１、Ｚ２１で独立的に空調運転を可能にしたものである。ここで、空調ユニット部１１、２１は、機内に、独立して運転可能に形成される室内側熱交換器１１ａ、２１ａなどから構成される冷媒回路と、吸込口１１ｂ、２１ｂから吸い込んだ空気を吹出口１１ｃ、２１ｃから吹き出す送風装置１１ｄ、２１ｄとを有する。また、空調ユニット部１１、２１は、１台の室外機（図示せず）に接続される室内機、すなわち、いわゆる多室型空気調和機の室内ユニットであって、それぞれ独自に発停可能であるとともに、独自の設定温度で運転可能とされている。
【００２０】
２台の空調ユニット部１１、２１を設置する空調対象室２は、図１に示すように、平面視横長の部屋であって、短辺側の窓を有する一側壁３に空調ユニット部１１、２１が設置されている。また、その対向する側壁４には空調対象室２への出入り口を成すドアが形成されている。
【００２１】
２台の空調ユニット部１１、２１は、空調対象室２を形成する側壁３の水平方向中央部に横方向に並べて設置されている。このように横方向に並べて設置される空調ユニット部１１、２１は、並べられた組合せ状態における前方外側部に吹出口１１ｃ、２１ｃを形成するとともに、組合せ状態における前方内側部に吸込口１１ｂ、２１ｂを形成するように構成されている。そして、各吹出口１１ｃ、２１ｃからの吹出空気Ｂ１１、Ｂ２１を、両空調ユニット部１１、２１の組合せ状態における外側前方に向けて吹き出すように構成されている。
【００２２】
実施の形態１はこのように構成されているので、両空調ユニット部１１、２１の吹出口１１ｃ、２１ｃからの吹出空気Ｂ１１、Ｂ２１は、両側壁５、６に沿って対向する側壁４に向けて吹き出されて、対向する側壁４に衝突する。衝突した吹出空気Ｂ１１、Ｂ２１は、旋回して空調対象室内１の中央部を通って空調ユニット部１１、２１の吸込口１１ｂ、２１ｂに還流し、室内旋回気流Ｃ１１、Ｃ２１を形成する。この場合、室内旋回気流Ｃ１１、Ｃ２１の旋回軸は略鉛直方向となり、この軸に略垂直な面が水平面となる。そして、この水平面において、両空調ユニット部１１、２１による室内旋回気流Ｃ１１、Ｃ２１は、空調ユニット部１１、２１の横方向間に境界面を形成して側壁３から側壁４にかけて空調対象室内を水平方向に区分する二つのゾーンＺ１１、Ｚ２１を形成する。また、これら室内旋回気流Ｃ１１、Ｃ２１により、空調対象室内１の中央部を通って還流する吸込気流Ｓ１１、Ｓ２１が平行気流となり、この平行に流れる吸込気流Ｓ１１、Ｓ２１がエアカーテンとして作用する。このため、特別のエアカーテン装置を用いることなく、空調対象室内１を水平方向に２分する空調ゾーニングを実現することができる。
【００２３】
また、各ゾーンＺ１１、Ｚ２１は、空調ユニット部１１、２１がそれぞれ独自に発停可能であるとともに、独自の設定温度で運転可能とされているので、居住者の好みに応じた最適の空調を行うことができる。
【００２４】
また、一方のゾーンで空調の必要がなくなり、他方のゾーンで空調が継続されるときは、例えば、図２に示すように、ゾーンＺ１１では空調せず他方のゾーンＺ２１で空調するときは、空調ユニット部１１を送風運転とし、空調ユニット部２１を居住者の選択により設定された設定温度で空調運転を行う。これにより、室内旋回気流Ｃ２１が所定経路に維持されるため、ゾーンＺ２１のゾーニングを確実に行うことができる。
【００２５】
（実施の形態２）
次に、実施の形態２について図３に基づき説明する。図３は実施の形態３に係る空調ゾーニングシステムの概略図である。なお、この図において、実施の形態１と同一の構成要素には同一の符号を付し、その説明を省略する。
【００２６】
実施の形態２に係る空調ゾーニングシステムは、図３に示すように、実施の形態１の場合と同様に、側壁３において２台の空調ユニット部１２、２２を横方向に並べて設置しているが、略同一高さ位置で水平方向に離されている。したがって、空調ユニット部１２、２２は、両側壁５、６に接近して取り付けられている。また、空調ユニット部１２、２２は、機内に、独立して運転可能に形成される室内側熱交換器１２ａ、２２ａなどから構成される冷媒回路と、吸込口１２ｂ、２２ｂから吸い込んだ空気を吹出口１２ｃ、２２ｃから吹き出す送風装置１２ｄ、２２ｄとを有する。また、空調ユニット部１２、２２は、１台の室外機（図示せず）に接続される室内機、すなわち、いわゆる多室型空気調和機の室内ユニットであって、それぞれ独自に発停可能であるとともに、独自の設定温度で運転可能とされている。
【００２７】
また、２台の空調ユニット部１２、２２は、側壁３の中央側の前方内側部に吹出口１２ｃ、２２ｃを形成するとともに、両側壁５、６側の前方外側部に吸込口１２ｂ、２２ｂを形成し、各吹出口１２ｃ、２２ｃからの吹出空気Ｂ１２、Ｂ２２を、側壁３の中央部の前方に向けて吹き出すように構成されている。
【００２８】
実施の形態２はこのように構成されているので、両空調ユニット部１２、２２の吹出口１２ｃ、２２ｃからの吹出空気Ｂ１２、Ｂ２２は、室内中央部で衝突して水平方向の平行気流となる。さらに、この平行気流は、対向する側壁４に衝突し、旋回して側壁５、６に沿って空調ユニット部１２、２２の吸込口１２ｂ、２２ｂに還流する室内旋回気流Ｃ１２、Ｃ２２を形成する。この場合、室内旋回気流Ｃ１２、Ｃ２２の旋回軸は略鉛直方向となり、この軸に略垂直な面が水平面となる。そして、この水平面において、両空調ユニット部１２、２２による室内旋回気流Ｃ１２、Ｃ２２は、空調ユニット部１２、２２の横方向間に境界面を形成して側壁３から側壁４にかけて空調対象室内１を水平方向に区分する二つのゾーンＺ１２、Ｚ２２を形成する。また、空調対象室内１の中央部に向かって吹き出される吹出空気Ｂ１２、Ｂ２２が平行気流となり、この平行気流がエアカーテンとして作用する。このため、特別のエアカーテン装置を用いることなく、空調対象室内１を水平方向に２分する空調ゾーニングを実現することができる。
【００２９】
また、この実施の形態２においても、各ゾーンＺ１２、Ｚ２２は、空調ユニット部１２、２２がそれぞれ独自に発停可能であるとともに、独自の設定温度で運転可能とされているので、居住者の好みに応じた最適の空調を行うことができる。
【００３０】
また、一方のゾーンで空調の必要がなくなり、他方のゾーンで空調が継続されるときは、例えば、図３に示すように、ゾーンＺ１２では空調せず他方のゾーンＺ２２で空調するときは、空調ユニット部１２を送風運転とし、空調ユニット部２２を居住者の選択により設定された設定温度で空調運転を行う。これにより、室内旋回気流Ｃ２２が所定経路に維持されるため、ゾーンＺ２２のゾーニングを確実に行うことができる。
【００３１】
（実施の形態３）
次に、実施の形態３について図４に基づき説明する。図４は実施の形態３に係る空調ゾーニングシステムの概略図である。なお、この図において、実施の形態１と同一の構成要素には同一の符号を付し、その説明を省略する。
【００３２】
実施の形態３に係る空調ゾーニングシステムは、図４に示すように、２台の空調ユニット部１３、２３を、空調対象室２を形成する一対の対向する側壁３、４の各上方中央部に分散配置している。空調ユニット部１３、２３は、機内に、独立して運転可能に形成される室内側熱交換器１３ａ、２３ａなどから構成される冷媒回路と、吸込口１３ｂ、２３ｂから吸い込んだ空気を吹出口１３ｃ、２３ｃから吹き出す送風装置１３ｄ、２３ｄとを有する。また、空調ユニット部１３、２３は、１台の室外機（図示せず）に接続される室内機、すなわち、多室型空気調和機の室内ユニットであって、それぞれ独自に発停可能であるとともに、独自の設定温度で運転可能とされている。
【００３３】
両空調ユニット部１３、２３では、吹出口１３ｃ、２３ｃが前方上部に形成されるとともに、吸込口１３ｂ、２３ｂが前方下部に形成され、天井７近くの両吹出口１３ｃ、２３ｃからの吹出空気Ｂ１３、Ｂ２３が空調対象室内１の中央部に向けて下向きに吹き出すように構成されている。
【００３４】
実施の形態３はこのように構成されているので、両空調ユニット部１３、２３の吹出口１３ｃ、２３ｃからの吹出空気Ｂ１３、Ｂ２３は、空調対象室内１の中央部で衝突して、隣接して床面８に向かう平行気流となる。さらに、この平行気流は、床面８に衝突して自己の空調ユニット部１３、２３を設置するそれぞれの側の側壁３、４に向けて旋回し、その後この側壁３、４付近でさらに旋回して、それぞれ側壁３、４に略沿って空調ユニット部１３、２３の吸込口１３ｂ、２３ｂに還流する室内旋回気流Ｃ１３、Ｃ２３を形成する。この場合、室内旋回気流Ｃ１３、Ｃ２３の旋回軸は略水平方向となり、この軸に略垂直な面が鉛直面となる。そして、この鉛直面において、両空調ユニット部１３、２３による室内旋回気流Ｃ１３、Ｃ２３は、空調ユニット部１３、２３を設置する一対の対向する側壁３、４間に境界面を形成して側壁３側と対向する側壁４側とに区分けされる二つのゾーンＺ１３、Ｚ２３を形成する。また、空調対象室内１の中央部に向かって下向きに吹き出される吹出空気Ｂ１３、Ｂ２３が平行気流となり、この平行気流がエアカーテンとして作用する。このため、特別のエアカーテン装置を用いることなく、空調対象室内１を水平方向に２分する空調ゾーニングを実現することができる。
【００３５】
また、この実施の形態３においても、各ゾーンＺ１３、Ｚ２３は、空調ユニット部１３、２３がそれぞれ独自に発停可能であるとともに、独自の設定温度で運転可能とされているので、居住者の好みに応じた最適の空調を行うことができる。
【００３６】
また、一方のゾーンで空調の必要がなくなり、他方のゾーンで空調が継続されるときは、例えば、図４に示すように、ゾーンＺ２３では空調せず他方のゾーンＺ１３で空調するときは、空調ユニット部２３を送風運転とし、空調ユニット部１３を居住者の選択により設定された設定温度で空調運転を行う。これにより、室内旋回気流Ｃ１３が所定経路に維持されるため、ゾーンＺ１３のゾーニングを確実に行うことができる。
【００３７】
（実施の形態４）
次に、実施の形態４について図５に基づき説明する。図５は実施の形態４に係る空調ゾーニングシステムの概略図である。なお、この図において、実施の形態１又は実施の形態３と同一の構成要素には同一の符号を付し、その説明を省略する。
【００３８】
実施の形態４に係る空調ゾーニングシステムは、図５に示すように、２台の空調ユニット部１４、２４を、空調対象室２を形成する一対の対向する側壁３、４に分散配置するとともに、一方を下方中央部に配置し、他方を上方中央部に配置している。空調ユニット部１４、２４は、機内に、独立して運転可能に形成される室内側熱交換器１４ａ、２４ａなどから構成される冷媒回路と、吸込口１４ｂ、２４ｂから吸い込んだ空気を吹出口１４ｃ、２４ｃから吹き出す送風装置１４ｄ、２４ｄとを有する。また、空調ユニット部１４、２４は、１台の室外機（図示せず）に接続される室内機、すなわち、多室型空気調和機の室内ユニットであって、それぞれ独自に発停可能であるとともに、独自の設定温度で運転可能とされている。
【００３９】
また、下方に配置した空調ユニット部１４では、前方下部に吹出口１４ｃが形成されるとともに前方上部に吸込口１４ｂが形成され、他方の上方に配置した空調ユニット部２４では、前方上部に吹出口２４ｃが形成されるとともに前方下部に吸込口２４ｂが形成されている。そして、両空調ユニット部１４、２４の吹出口１４ｃ、２４ｃからの吹出空気Ｂ１４、Ｂ２４が空調対象室内１の中央部に向かって上向き又は下向きに吹き出すように構成されている。
【００４０】
実施の形態４はこのように構成されているので、両空調ユニット部１４、２４の吹出口１４ｃ、２４ｃからの吹出空気Ｂ１４、Ｂ２４は、空調対象室内１の中央部で衝突し上下反対方向に平行に流れる平行気流となる。さらに、下方に設置された空調ユニット部１４からの上向きの吹出空気Ｂ１４は天井７に向けて旋回し、上方に設置された空調ユニット部２４からの下向きの吹出空気Ｂ２４は床面に向けて旋回する。上記吹出空気Ｂ１４及び吹出空気Ｂ２４は、その後天井７又は床面８でさらに旋回し、側壁３、４に沿ってそれぞれ空調ユニット部１４、２４の吸込口１４ｂ、２４ｂに還流する室内旋回気流Ｃ１４、Ｃ２４を形成する。この場合、室内旋回気流Ｃ１４、Ｃ２４の旋回軸は略水平方向となり、この軸に略垂直な面が鉛直面となる。そして、この鉛直面において、両空調ユニット部１４、２４による室内旋回気流Ｃ１４、Ｃ２４は、空調ユニット部１４、２４を設置する一対の対向する側壁３、４間に境界面を形成して側壁３側と対向する側壁４側とに区分けされる二つのゾーンＺ１４、Ｚ２４を形成する。また、空調対象室内１の中央部に向かって吹き出される吹出空気Ｂ１４、Ｂ２４が反対方向に流れる平行気流となり、この平行気流がエアカーテンとして作用する。このため、特別のエアカーテン装置を用いることなく、空調対象室内１を水平方向に２分する空調ゾーニングを実現することができる。
【００４１】
また、この実施の形態４においても、各ゾーンＺ１４、Ｚ２４は、空調ユニット部１４、２４がそれぞれ独自に発停可能であるとともに、独自の設定温度で運転可能とされているので、居住者の好みに応じた最適の空調を行うことができる。
【００４２】
また、一方のゾーンで空調の必要がなくなり、他方のゾーンで空調が継続されるときは、例えば、図５に示すように、ゾーンＺ２４では空調せず他方のゾーンＺ１４で空調するときは、空調ユニット部２４を送風運転とし、空調ユニット部１４を居住者の選択により設定された設定温度で空調運転を行う。これにより、室内旋回気流Ｃ１４が所定経路に維持されるため、ゾーンＺ１４のゾーニングを確実に行うことができる。
【００４３】
（実施の形態５）
次に、実施の形態５について図６に基づき説明する。図６は実施の形態５に係る空調ゾーニングシステムの概略図である。なお、この図において、実施の形態３と同一の要素には同一の符号を付し、その説明を省略する。
【００４４】
実施の形態５に係る空調ゾーニングシステムは、２台の空調ユニット部１５、２５を用いて、空調対象室内１を上下方向にゾーニングし、二つのゾーンＺ１５、Ｚ２５で空調可能に形成したものである。空調ユニット部１５、２５は、機内に、独立して運転可能に形成される室内側熱交換器１５ａ、２５ａなどから構成される冷媒回路と、吸込口１５ｂ、２５ｂから吸い込んだ空気を吹出口１５ｃ、２５ｃから吹き出す送風装置１５ｄ、２５ｄとを有する。また、空調ユニット部１５、２５は、１台の室外機（図示せず）に接続される室内機、すなわち、いわゆる多室型空気調和機の室内ユニットであって、それぞれ独自に発停可能であるとともに、独自の設定温度で運転可能とされている。
【００４５】
前記２台の空調ユニット部１５、２５は、空調対象室２を形成する一側壁３において、高さ方向に上下に離して側壁３の横方向の中央部に設置されている。上方に設置した空調ユニット部１５では、前方下部に吹出口１５ｃが形成されるとともに前方上部に吸込口１５ｂが形成されている。下方に設置された空調ユニット部２５では、前方上部に吹出口２５ｃが形成されるとともに前方下部に吸込口２５ｂが形成されている。そして、両空調ユニット部１５、２５の各吹出口１５ｃ、２５ｃからの吹出空気Ｂ１５、Ｂ２５が空調対象室内１の高さ方向の中央部前方に向かって吹き出されるように構成されている。
【００４６】
実施の形態５はこのように構成されているので、両空調ユニット部１５、２５の吹出口１５ｃ、２５ｃからの吹出空気Ｂ１５、Ｂ２５は、空調対象室内１の高さ方向の中央部前方で衝突して隣接する平行気流となる。さらに、この平行気流は、それぞれ対向する側壁４に衝突し、旋回して空調対象室内１の天井７及び床面８に沿って空調ユニット部１５、２５の吸込口１５ｂ、２５ｂに還流する室内旋回気流Ｃ１５、Ｃ２５を形成する。この場合、室内旋回気流Ｃ１５、Ｃ２５の旋回軸は略水平方向となり、この軸に略垂直な面が鉛直面となる。そして、この鉛直面において、両空調ユニット部１５、２５による室内旋回気流Ｃ１５、Ｃ２５は、空調ユニット部１５、２５の上下間に境界面を形成して側壁３から側壁４にかけて空調対象室内１を上下方向に区分する二つのゾーンＺ１５、Ｚ２５を形成する。また、両空調ユニット部１５、２５の吹出口１５ｃ、２５ｃからの吹出空気Ｂ１５、Ｂ２５が衝突して平行気流となって、エアカーテンとして作用する。このため、特別のエアカーテン装置を用いることなく、空調対象室内１を上下方向に２分する空調ゾーニングを実現することができる。
【００４７】
また、各ゾーンＺ１５、Ｚ２５は、空調ユニット部１５、２５がそれぞれ独自に発停可能であるとともに、独自の設定温度で運転可能とされているので、居住者の好みに応じた最適の空調を行うことができる。
【００４８】
特に、上方のゾーンＺ１５は、非居住空間であるので、図６に示すように非空調ゾーンとしてよい。したがって、このゾーンＺ１５では、送風運転あるいは弱い空調運転とされている。これにより、下方の室内旋回気流Ｃ２５が所定経路に維持されるため、下方のゾーンＺ２５のみを快適な空調ゾーンとするゾーニングを確実に行うことができる。また、このように運転することにより、無駄なエネルギの消費を節約することができる。
【００４９】
（実施の形態６）
次に、実施の形態６について図７に基づき説明する。図７は実施の形態６に係る空調ゾーニングシステムの概略図である。なお、この図において、実施の形態３と同一の構成要素には同一の符号を付し、その説明を省略する。
【００５０】
実施の形態６に係る空調ゾーニングシステムは、実施の形態５の場合と同様に、２台の空調ユニット部１６、２６を用いて、空調対象室内１を上下方向にゾーニングするものである。実施の形態６に係る空調ゾーニングシステムでは、２台の空調ユニット部１６、２６が、空調対象室２を形成する一対の対向する側壁３、４に分散配置されるとともに、一方が下方中央部に配置され、他方が上方中央部に配置されている。空調ユニット部１６、２６は、機内に、独立して運転可能に形成される室内側熱交換器１６ａ、２６ａなどから構成される冷媒回路と、吸込口１６ｂ、２６ｂから吸い込んだ空気を吹出口１６ｃ、２６ｃから吹き出す送風装置１６ｄ、２６ｄとを有する。また、空調ユニット部１６、２６は、１台の室外機（図示せず）に接続される室内機、すなわち、いわゆる多室型空気調和機の室内ユニットであって、それぞれ独自に発停可能であるとともに、独自の設定温度で運転可能とされている。
【００５１】
また、下方に配置した空調ユニット部１６では、前方上部に吹出口１６ｃが形成されるとともに前方下部に吸込口１６ｂが形成され、他方の上方に配置した空調ユニット部２６では、前方下部に吹出口２６ｃが形成されるとともに前方上部に吸込口２６ｂが形成されている。そして、両空調ユニット部１６、２６の各吹出口１６ｃ、２６ｃからの吹出空気Ｂ１６、Ｂ２６が空調対象室内１の高さ方向の中央部前方に向かって吹き出されるように構成されている。
【００５２】
実施の形態６はこのように構成されているので、両空調ユニット部１６、２６の吹出口１６ｃ、２６ｃからの吹出空気Ｂ１６、Ｂ２６は、空調対象室内１の高さ方向の中央部で衝突し、隣接して逆方向に流れる平行気流となる。さらに、この平行気流は、それぞれの対向する側壁３、４に衝突し、旋回して空調対象室内１の天井７及び床面８に沿って空調ユニット部１６、２６の吸込口１６ｂ、２６ｂに還流する室内旋回気流Ｃ１６、Ｃ２６を形成する。この場合、室内旋回気流Ｃ１６、Ｃ２６の旋回軸は略水平方向となり、この軸に略垂直な面が鉛直面となる。そして、この鉛直面において、両空調ユニット部１６、２６による室内旋回気流Ｃ１６、Ｃ２６は、空調ユニット部１６、２６の上下間に境界面を形成して側壁３から側壁４にかけて空調対象室内１を上下方向に区分する二つのゾーンＺ１６、Ｚ２６を形成する。また、両空調ユニット部１６、２６の吹出口１６ｃ、２６ｃからの吹出空気Ｂ１６、Ｂ２６が衝突し、隣接して逆方向に流れる平行気流となって、エアカーテンとして作用する。このため、特別のエアカーテン装置を用いることなく、空調対象室内１を上下方向に２分する空調ゾーニングを実現することができる。
【００５３】
また、各ゾーンＺ１６、Ｚ２６は、空調ユニット部１６、２６がそれぞれ独自に発停可能であるとともに、独自の設定温度で運転可能とされているので、居住者の好みに応じた最適の空調を行うことができる。
【００５４】
特に、上方のゾーンＺ２６は、非居住空間であるので、図７に示すように非空調ゾーンとしてよい。したがって、このゾーンＺ２６では、送風運転あるいは弱い空調運転とされている。これにより、下方の室内旋回気流Ｃ１６が所定経路に維持されるため、下方のゾーンＺ１６のみを快適な空調ゾーンとするゾーニングを確実に行うことができる。また、このように運転することにより、無駄なエネルギの消費を節約することができる。
【００５５】
（実施の形態７）
次に、実施の形態７について図８に基づき説明する。図８は実施の形態７に係る空調ゾーニングシステムの概略図である。なお、これら図において、実施の形態１と同一の要素には同一の符号を付し、その説明を省略する。
【００５６】
実施の形態７に係る空調ゾーニングシステムは、２台の空調ユニット部１７、２７を１台の室内機７０として構成したものであって、横長箱形の筐体７１を横方向の中央部で左右に仕切り、左右各区域が空調ユニット部１７、２７として構成されている。また、実施の形態７に係る空調ゾーニングシステムは、空調対象室内１を水平方向にゾーニングするものであって、実施の形態１の場合と同様に空調対象室２を構成する一側壁３に設置されている。
【００５７】
上記各空調ユニット部１７、２７は、筐体７１内に、第１室内側熱交換器１７ａ、２７ａ、第２室内側熱交換器１７ｂ、２７ｂなどから構成される冷媒回路と、吸込口１７ｃ、２７ｃから吸い込んだ空気を第１吹出口１７ｄ、２７ｄ及び第２吹出口１７ｅ、２７ｅから吹き出す送風装置１７ｆ、２７ｆとが収納されている。この空調ユニット部１７、２７は、多室型空気調和機の室内ユニットとの場合と同様に１台の室外機（図示せず）に接続されるとともに、それぞれ独自に発停可能であり、さらに、空調対象ゾーンを独自の設定温度で運転可能とされている。また、吸込口１７ｃ、２７ｃは、各空調ユニット部１７、２７の前面中央部に形成され、第１吹出口１７ｄ、２７ｄは、空調ユニット部１７、２７の前面における筐体７１の中央部側に形成され、第２吹出口１７ｅ、２７ｅは、筐体７１の左右側部側に形成されている。そして、第１吹出口１７ｄ、２７ｄからの第１吹出空気Ｂ１７ａ、Ｂ２７ａは前方に向かって吹き出されるとともに、第２吹出口１７ｅ、２７ｅからの第２吹出空気Ｂ１７ｂ、Ｂ２７ｂは前方かつ側壁５、６方向に向かって吹き出されるように構成されている。
【００５８】
実施の形態７はこのように構成されているので、第１吹出口１７ｄ、２７ｄからの第１吹出空気Ｂ１７ａ、Ｂ２７ａは、室内中央部を通って対向する側壁４に向けて吹き出され、対向する側壁４に衝突して旋回し、吸込口１７ｃ、２７ｃに向かって空調対象室内１を還流する第１室内旋回気流Ｃ１７ａ、Ｃ２７ａを形成する。また、第２吹出口１７ｅ、２７ｅからの第２吹出空気Ｂ１７ｂ、Ｂ２７ｂは、側壁５、６に沿って対向する側壁４に向けて吹き出され、対向する側壁４に衝突して旋回し、吸込口１７ｃ、２７ｃに向かって空調対象室内１を還流する第２室内旋回気流Ｃ１７ｂ、Ｃ２７ｂを形成する。この第１室内旋回気流Ｃ１７ａ、Ｃ２７ａ及び第２室内旋回気流Ｃ１７ｂ、Ｃ２７ｂの還流気流は、同一の吸込口１７ｃ、２７ｃに吸入されるので、混合状態で還流される。そして、この場合、第１室内旋回気流Ｃ１７ａ、Ｃ２７ａ及び第２室内旋回気流Ｃ１７ｂ、Ｃ２７ｂの旋回軸は略鉛直方向となり、これら旋回軸に略垂直な面が水平面となる。そして、この水平面において、両空調ユニット部１７、２７による第１室内旋回気流Ｃ１７ａ、Ｃ２７ａ及び第２室内旋回気流Ｃ１７ｂ、Ｃ２７ｂは、空調ユニット部１７、２７の横方向間において、側壁３から側壁４にかけて空調対象室内１を水平方向に区分する二つのゾーンＺ１７、Ｚ２７を形成する。また、第１室内旋回気流Ｃ１７ａ、Ｃ２７ａにおいて、第１吹出口１７ｄ、２７ｄからの第１吹出空気Ｂ１７ａ、Ｂ２７ａは、空調対象室内１の中央部を前方に向かって吹き出される平行気流となり、この平行に流れる第１吹出空気Ｂ１７ａ、Ｂ２７ａがエアカーテンとして作用する。このため、特別のエアカーテン装置を用いることなく、空調対象室内１を水平方向に２分する空調ゾーニングを実現することができる。
【００５９】
また、各ゾーンＺ１７、Ｚ２７は、空調ユニット部１７、２７がそれぞれ独自に発停可能であるとともに、独自の設定温度で運転可能とされているので、居住者の好みに応じた最適の空調を行うことができる。
【００６０】
また、一方のゾーンで空調の必要がなくなり、他方のゾーンで空調が継続されるときは、例えば、図９に示すように、ゾーンＺ１７では空調せず他方のゾーンＺ２７で空調するときは、空調ユニット部１７を送風運転とし、空調ユニット部２７を居住者の選択により設定された設定温度で空調運転を行う。これにより、第１室内旋回気流Ｃ１７ａ、Ｃ２７ａ及び第２室内旋回気流Ｃ１７ｂ、Ｃ２７ｂが所定経路に維持されるため、ゾーンＺ２７のゾーニングを確実に行うことができる。
【００６１】
（実施の形態８）
次に、実施の形態８について図１０に基づき説明する。図１０は実施の形態８に係る空調ゾーニングシステムの概略図である。なお、これら図において、実施の形態７と同一の要素には同一の符号を付し、その説明を省略する。
【００６２】
実施の形態８に係る空調ゾーニングシステムは、図１０に示すように、実施の形態７において、空調ユニット部１７、２７を独立の室内ユニットとして形成するとともに、独立の室内ユニットとして形成された空調ユニット部１８、２８間を水平方向に離して取り付けたものである。すなわち、空調ユニット部１８、２８は、実施の形態７に係る空調ユニット部１７、２７と同一の構成であって、独自に発停可能及び独自の設定温度で運転可能に形成されている。また、空調ユニット部１８、２８は、１台の室外機（図示せず）に接続される多室型空気調和機の室内ユニットとして形成されている。
【００６３】
したがって、空調ユニット部１８、２８における第１室内側熱交換器１８ａ、２８ａは、実施の形態７に係る空調ユニット部１７、２７における第１室内側熱交換器１７ａ、２７ａと同一である。同様に、吸込口１８ｃ、２８ｃは吸込口１７ｃ、２７ｃと同一であり、第１吹出口１８ｄ、２８ｄは第１吹出口１７ｄ、２７ｄと同一であり、第２吹出口１８ｅ、２８ｅは第２吹出口１７ｅ、２７ｅと同一であり、送風装置１８ｆ、２８ｆは送風装置１７ｆ、２７ｆと同一である。そして、第１吹出口１８ｄ、２８ｄからの第１吹出空気Ｂ１８ａ、Ｂ２８ａは前方、かつ、中央に向かって吹き出され、第２吹出口１８ｅ、２８ｅからの第２吹出空気Ｂ１８ｂ、Ｂ２８ｂは前方、かつ側壁５、６方向に向かって吹き出されるように構成されている。
【００６４】
実施の形態８はこのように構成されているので、実施の形態８における吹出空気の室内旋回気流と実施の形態７における吹出空気の室内旋回気流とを比較すると、第１吹出空気Ｂ１８ａ、Ｂ２８ａ及び第２吹出空気Ｂ１８ｂ、Ｂ２８ｂの吹出方向が若干相違するが略同一である。すなわち、第１吹出空気Ｂ１８ａ、Ｂ２８ａにより形成される第１室内旋回気流Ｃ１８ａ、Ｃ２８ａは、実施の形態７における第１室内旋回気流Ｃ１７ａ、Ｃ２７ａと略同一である。また、第２吹出空気Ｂ１８ｂ、Ｂ２８ｂにより形成される第２室内旋回気流Ｃ１８ｂ、Ｃ２８ｂは実施の形態７における第２室内旋回気流Ｃ１７ｂ、Ｃ２７ｂと略同一である。したがって、第１吹出空気Ｂ１８ａ、Ｂ２８ａが空調対象室内１の中央部を前方に向かって吹き出される平行気流となり、エアカーテンとして作用する。
【００６５】
上記のように構成される実施の形態８によれば、空調対象室内１を、特別のエアカーテン装置を用いることなく、側壁３から側壁４にかけて水平方向に区分される二つのゾーンＺ１８、Ｚ２８に空調ゾーニングすることができる。また、各ゾーンＺ１８、Ｚ２８は、空調ユニット部１８、２８がそれぞれ独自に発停可能であるとともに、独自の設定温度で運転可能とされているので、居住者の好みに応じた最適の空調を行うことができる。
【００６６】
（変形例）
（１）実施の形態１〜８に係る各空調ユニット部１１、２１、１２、２２、１３、２３、１４、２４、１５、２５、１６、２６、１７、２７、１８、２８において、吹出口１１ｃ、２１ｃ、１２ｃ、２２ｃ、１３ｃ、２３ｃ、１４ｃ、２４ｃ、１５ｃ、２５ｃ、１６ｃ、２６ｃ、第１吹出口１７ｄ、２７ｄ、１８ｄ、２８ｄ及び第２吹出口１７ｅ、２７ｅ、１８ｅ、２８ｅをそれぞれ吸込口とするとともに、吸込口１１ｂ、２１ｂ、１２ｂ、２２ｂ、１３ｂ、２３ｂ、１４ｂ、２４ｂ、１５ｂ、２５ｂ、１６ｂ、２６ｂ、１７ｃ、２７ｃ、１８ｃ、２８ｃをそれぞれ吹出口として、室内旋回気流Ｃ１１、Ｃ２１、Ｃ１２、Ｃ２２、Ｃ１３、Ｃ２３、Ｃ１４、Ｃ２４、Ｃ１５、Ｃ２５、Ｃ１６、Ｃ２６、第１室内旋回気流Ｃ１７ａ、Ｃ２７ａ、Ｃ１８ａ、Ｃ２８ａ及び第２室内旋回気流Ｃ１７ｂ、Ｃ２７ｂ、Ｃ１８ｂ、Ｃ２８ｂを逆方向に流すようにしても先の例と同様にゾーニングを行うことができる。その理由は、先の例における平行気流と同一場所において、流れ方向が逆の平行気流が形成されるからである。
【００６７】
（２）各実施の形態において記載した空調ユニット部１１、２１、１２、２２、１３、２３、１４、２４、１５、２５、１６、２６、１７、２７、１８、２８は、冷媒回路及び送風装置１１ｄ、２１ｄ、１２ｄ、２２ｄ、１３ｄ、２３ｄ、１４ｄ、２４ｄ、１５ｄ、２５ｄ、１６ｄ、２６ｄ、１７ｆ、２７ｆ、１８ｆ、２８ｆが独立的に作動し、室内旋回気流Ｃ１１、Ｃ２１、Ｃ１２、Ｃ２２、Ｃ１３、Ｃ２３、Ｃ１４、Ｃ２４、Ｃ１５、Ｃ２５、Ｃ１６、Ｃ２６、第１室内旋回気流Ｃ１７ａ、Ｃ２７ａ、Ｃ１８ａ、Ｃ２８ａ及び第２室内旋回気流Ｃ１７ｂ、Ｃ２７ｂ、Ｃ１８ｂ、Ｃ２８ｂが所定どおりに形成されるものであればよく、この範囲内において適宜変更することが可能である。例えば、各実施の形態において、送風装置１１ｄ、２１ｄ、１２ｄ、２２ｄ、１３ｄ、２３ｄ、１４ｄ、２４ｄ、１５ｄ、２５ｄ、１６ｄ、２６ｄ、１７ｆ、２７ｆ、１８ｆ、２８ｆとしてシロッコファン、ターボファンなど適宜の形式の送風機を用いたり、室内側熱交換器１１ａ、２１ａ、１２ａ、２２ａ、１３ａ、２３ａ、１４ａ、２４ａ、１５ａ、２５ａ、１６ａ、２６ａ、１７ａ、１７ｂ、２７ａ、２７ｂ、１８ａ、１８ｂ、２８ａ、２８ｂとしてコルゲートフィン式熱交換器、クロスフィン式熱交換器など適宜の形式の熱交換器を用いたりすることができる。また、吸込口１１ｂ、２１ｂ、１２ｂ、２２ｂ、１３ｂ、２３ｂ、１４ｂ、２４ｂ、１５ｂ、２５ｂ、１６ｂ、２６ｂ、１７ｃ、２７ｃ、１８ｃ、２８ｃ、吹出口１１ｃ、２１ｃ、１２ｃ、２２ｃ、１３ｃ、２３ｃ、１４ｃ、２４ｃ、１５ｃ、２５ｃ、１６ｃ、２６ｃ、第１吹出口１７ｄ、２７ｄ、１８ｄ、２８ｄ及び第２吹出口１７ｅ、２７ｅ、１８ｅ、２８ｅとして適宜の形式のものを用いることができる。また、吹出口１１ｃ、２１ｃ、１２ｃ、２２ｃ、１３ｃ、２３ｃ、１４ｃ、２４ｃ、１５ｃ、２５ｃ、１６ｃ、２６ｃ、第１吹出口１７ｄ、２７ｄ、１８ｄ、２８ｄ及び第２吹出口１７ｅ、２７ｅ、１８ｅ、２８ｅの風向板については、風向を手動又は自動で変更可能として、区分けするゾーンＺ１１、Ｚ２１、Ｚ１２、Ｚ２２、Ｚ１３、Ｚ２３、Ｚ１４、Ｚ２４、Ｚ１５、Ｚ２５、Ｚ１６、Ｚ２６、Ｚ１７、Ｚ２７、Ｚ１８、Ｚ２８の広さを調整可能とすることもできる。また、冷媒回路についても、可逆サイクルとしてヒートポンプ式の冷暖房運転を可能とすることが望ましいが、非可逆サイクルとして冷房運転のみを可能とすることもできる。
【００６８】
（３）また、各実施の形態においては、空調ユニット部１１、２１、１２、２２、１３、２３、１４、２４、１５、２５、１６、２６、１７、２７、１８、２８は１台の室外機に接続されるように構成されていたが、それぞれを別個の室外機に接続するように構成してもよい。
【００６９】
（４）各実施の形態において、空調ユニット部１１、２１、１２、２２、１３、２３、１４、２４、１５、２５、１６、２６、１７、２７、１８、２８は、２台とされているが、この台数に限られたものはなく、３台以上の複数台に構成してもよい。この場合においても、各空調ユニット部により形成される室内旋回気流を、旋回軸に略直交する面内において隣接する異なるゾーンで旋回するように形成することにより、空調ユニット部の台数に対応する区域にゾーニングすることができる。
【図面の簡単な説明】
【００７０】
【図１】本発明の実施の形態１に係る空調ゾーニングシステムの概略図であり、二つのゾーンそれぞれを空調している状態のものである。
【図２】同空調ゾーニングシステムの概略図であり、二つのゾーンのうちの一方のみを空調している状態のものである。
【図３】本発明の実施の形態２に係る空調ゾーニングシステムの概略図であり、二つのゾーンのうちの一方のみを空調している状態のものである。
【図４】本発明の実施の形態３に係る空調ゾーニングシステムの概略図であり、二つのゾーンのうちの一方のみを空調している状態のものである。
【図５】本発明の実施の形態４に係る空調ゾーニングシステムの概略図であり、二つのゾーンのうちの一方のみを空調している状態のものである。
【図６】本発明の実施の形態５に係る空調ゾーニングシステムの概略図であり、二つのゾーンのうちの一方のみを空調している状態のものである。
【図７】本発明の実施の形態６に係る空調ゾーニングシステムの概略図であり、二つのゾーンのうちの一方のみを空調している状態のものである。
【図８】本発明の実施の形態７に係る空調ゾーニングシステムの概略図であり、二つのゾーンそれぞれを空調している状態のものである。
【図９】同空調ゾーニングシステムの概略図であり、二つのゾーンのうちの一方のみを空調している状態のものである。
【図１０】本発明の実施の形態８に係る空調ゾーニングシステムの概略図であり、二つのゾーンそれぞれを空調している状態のものである。
【図１１】従来の代表的な空調システムにおける温度むらの説明図である。
【図１２】同空調システムにおけるエネルギの損失の説明図である。
【符号の説明】
【００７１】
Ｂ１１、Ｂ２１、Ｂ１２、Ｂ２２、Ｂ１３、Ｂ２３、Ｂ１４、Ｂ２４、Ｂ１５、Ｂ２５、Ｂ１６、Ｂ２６…吹出空気、Ｂ１７ａ、Ｂ２７ａ、Ｂ１８ａ、Ｂ２８ａ…第１吹出空気、Ｂ１７ｂ、Ｂ２７ｂ、Ｂ１８ｂ、Ｂ２８ｂ…第２吹出空気、Ｃ１１、Ｃ２１、Ｃ１２、Ｃ２２、Ｃ１３、Ｃ２３、Ｃ１４、Ｃ２４、Ｃ１５、Ｃ２５、Ｃ１６、Ｃ２６…室内旋回気流、Ｃ１７ａ、Ｃ２７ａ、Ｃ１８ａ、Ｃ２８ａ…第１室内旋回気流、Ｃ１７ｂ、Ｃ２７ｂ、Ｃ１８ｂ、Ｃ２８ｂ…第２室内旋回気流、Ｚ１１、Ｚ２１、Ｚ１２、Ｚ２２、Ｚ１３、Ｚ２３、Ｚ１４、Ｚ２４、Ｚ１５、Ｚ２５、Ｚ１６、Ｚ２６、Ｚ１７、Ｚ２７、Ｚ１８、Ｚ２８…ゾーン、１…空調対象室内、２…空調対象室、３、４、５、６…側壁、１１、２１、１２、２２、１３、２３、１４、２４、１５、２５、１６、２６、１７、２７、１８、２８…空調ユニット部、１１ｂ、２１ｂ、１２ｂ、２２ｂ、１３ｂ、２３ｂ、１４ｂ、２４ｂ、１５ｂ、２５ｂ、１６ｂ、２６ｂ、１７ｃ、２７ｃ、１８ｃ、２８ｃ…吸込口、１１ｃ、２１ｃ、１２ｃ、２２ｃ、１３ｃ、２３ｃ、１４ｃ、２４ｃ、１５ｃ、２５ｃ、１６ｃ、２６ｃ…吹出口、１７ｄ、２７ｄ、１８ｄ、２８ｄ…第１吹出口、１７ｅ、２７ｅ、１８ｅ、２８ｅ…第２吹出口、１１ｄ、２１ｄ、１２ｄ、２２ｄ、１３ｄ、２３ｄ、１４ｄ、２４ｄ、１５ｄ、２５ｄ、１６ｄ、２６ｄ、１７ｆ、２７ｆ、１８ｆ、２８ｆ…送風装置、７０…室内機。
【図１】
2007327702.tif 000003
【図２】
2007327702.tif 000004
【図３】
2007327702.tif 000005
【図４】
2007327702.tif 000006
【図５】
2007327702.tif 000007
【図６】
2007327702.tif 000008
【図７】
2007327702.tif 000009
【図８】
2007327702.tif 000010
【図９】
2007327702.tif 000011
【図１０】
2007327702.tif 000012
【図１１】
2007327702.tif 000013
【図１２】
2007327702.tif 000014